【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、広角端から望遠端へのズーミングに際して、前記第１レンズ群と前記第２レンズ群の間隔が大きくなり、前記第２レンズ群と前記第３レンズ群の間隔が小さくなり、前記第３レンズ群と前記第４レンズ群の間隔が大きくなり、前記第４レンズ群と前記第５レンズ群の間隔が小さくなり、前記第５レンズ群と前記第６レンズ群の間隔が変化するように各レンズ群が移動し、無限遠物体から近距離物体へのフォーカシングに際して前記第６レンズ群が像側へ移動するズームレンズであって、前記第２レンズ群の広角端における後側主点位置から、前記第２レンズ群より像側に配置された各レンズ群からなる後続レンズ群の広角端における前側主点位置までの距離をＤ２Ｒｗ、広角端における前記後続レンズ群の焦点距離をｆＲｗとするとき、
１．４４１≦Ｄ２Ｒｗ／ｆＲｗ＜２．０
なる条件を満足することを特徴とするズームレンズ。
【請求項２】
前記第１レンズ群の焦点距離をｆ１、広角端と望遠端における全系の焦点距離を各々ｆｗ、ｆｔとするとき、
１．２＜ｆ１／√（ｆｗ×ｆｔ）＜１．８
なる条件を満足することを特徴とする請求項１に記載のズームレンズ。
【請求項３】
前記第２レンズ群の焦点距離をｆ２、広角端と望遠端における全系の焦点距離を各々ｆｗ、ｆｔとするとき、
−０．３＜ｆ２／√（ｆｗ×ｆｔ）＜−０．１８
なる条件式を満足することを特徴とする請求項１又は２に記載のズームレンズ。
【請求項４】
望遠端における前記第２レンズ群の結像倍率をβ２ｔとするとき、
−１．６＜β２ｔ＜−０．９
なる条件式を満足することを特徴とする請求項１乃至３のいずれか１項に記載のズームレンズ。
【請求項５】
前記第３レンズ群と前記第５レンズ群の焦点距離を各々ｆ３、ｆ５とするとき、
０．９＜ｆ３／ｆ５＜３．０
なる条件式を満足することを特徴とする請求項１乃至４のいずれか１項に記載のズームレンズ。
【請求項６】
前記第１レンズ群と前記第２レンズ群の焦点距離を各々ｆ１、ｆ２とするとき、
−８．０＜ｆ１／ｆ２＜−５．０
なる条件式を満足することを特徴とする請求項１乃至５のいずれか１項に記載のズームレンズ。
【請求項７】
前記第４レンズ群の焦点距離をｆ４、広角端と望遠端における全系の焦点距離を各々ｆｗ、ｆｔとするとき、
−１．３＜ｆ４／√（ｆｗ×ｆｔ）＜−０．４
なる条件式を満足することを特徴とする請求項１乃至６のいずれか１項に記載のズームレンズ。
【請求項８】
前記第６レンズ群の焦点距離をｆ６、前記第６レンズ群の最も像側のレンズ面から像面までの望遠端における光軸上の距離をｓｋｔとするとき、
−１．００＜ｆ６／ｓｋｔ＜−０．２６
なる条件式を満足することを特徴とする請求項１乃至７のいずれか１項に記載のズームレンズ。
【請求項９】
前記第１レンズ群に含まれる正レンズの材料のアッベ数をνｄ１ｐ、ｇ線とＦ線を基準とした部分分散比をθｇＦ１ｐとするとき、前記第１レンズ群は、
７０＜νｄ１ｐ＜９６
０．０１８５＜θｇＦ１ｐ−０．６４３８＋０．００１６８２×νｄ１ｐ＜０．０５１
なる条件式を満足する正レンズを有することを特徴とする請求項１乃至８のいずれか１項に記載のズームレンズ。
【請求項１０】
前記第２レンズ群は３枚の負レンズと２枚以下の正レンズよりなることを特徴とする請求項１乃至９のいずれか１項に記載のズームレンズ。
【請求項１１】
前記第４レンズ群を光軸に対し垂直な方向の成分を持つ方向に移動させて結像位置を移動させることを特徴とする請求項１乃至１０のいずれか１項に記載のズームレンズ。
【請求項１２】
前記第５レンズ群は３枚の正レンズと１枚の負レンズよりなることを特徴とする請求項１乃至１１のいずれか１項に記載のズームレンズ。
【請求項１３】
前記第５レンズ群に含まれる正レンズの材料のアッベ数をνｄ５ｐ、ｇ線とＦ線を基準とした部分分散比をθｇＦ５ｐとするとき、前記第５レンズ群は、
７０＜νｄ５ｐ＜９６
０．０１８５＜θｇＦ５ｐ−０．６４３８＋０．００１６８２×νｄ５ｐ＜０．０５１
なる条件式を満足する正レンズを有することを特徴とする請求項１乃至１２のいずれか１項に記載のズームレンズ。
【請求項１４】
前記第６レンズ群に含まれる正レンズの材料のアッベ数をνｄ６ｐとするとき、前記第６レンズ群は、
１８＜νｄ６ｐ＜２６
なる条件式を満足する正レンズを有することを特徴とする請求項１乃至１３のいずれか１項に記載のズームレンズ。
【請求項１５】
広角端における全系の焦点距離をｆｗ、広角端における前記ズームレンズのバックフォーカスをＳｋｗとするとき、
１．４＜Ｓｋｗ／ｆｗ＜２．５
なる条件式を満足することを特徴とする請求項１乃至１４のいずれか１項に記載のズームレンズ。
【請求項１６】
物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群から構成されることを特徴とする請求項１乃至１５のいずれか１項に記載のズームレンズ。
【請求項１７】
前記第６レンズ群の像側に、ズーミングに際して不動であり正の屈折力の第７レンズ群を有することを特徴とする請求項１乃至１５のいずれか１項のズームレンズ。
【請求項１８】
広角端から望遠端へのズーミングに際して、前記第１レンズ群と前記第３レンズ群ないし前記第６レンズ群は物体側へ移動することを特徴とする請求項１乃至１７のいずれか１項のズームレンズ。
【請求項１９】
請求項１乃至１８のいずれか１項に記載のズームレンズと、該ズームレンズによって形成される像を受光する撮像素子を有することを特徴とする撮像装置。
【手続補正２】
【補正対象書類名】明細書
【補正対象項目名】全文
【補正方法】変更
【補正の内容】
【発明の詳細な説明】
【発明の名称】ズームレンズ及びそれを有する撮像装置
【技術分野】
【０００１】
本発明は、ズームレンズ及びそれを有する撮像装置に関し、例えばビデオカメラ、デジタルスチルカメラ、監視カメラ、フィルム用カメラ、放送用カメラ等に好適に用いられるものである。
【背景技術】
【０００２】
従来よりデジタルカメラ、ビデオカメラ等の撮像装置用のズームレンズとしては、広角域を含み高ズーム比で所定の長さのバックフォーカスを有し、光学系全体が小型であること等が要求されている。更に無限遠物体から近距離物体に至る全物体距離にわたり高い光学性能を有すること等が要求されている。
【０００３】
高ズーム比化が容易なズームレンズとして最も物体側のレンズ群が正の屈折力のレンズ群より成るポジティブリードタイプのズームレンズが知られている。また光学系全体の小型化が容易なズームレンズとして、第２レンズ群以降のレンズ群を光軸方向に移動させてフォーカシングする所謂インナーフォーカス方式又はリアフォーカス方式を用いたズームレンズが知られている。ポジティブリードタイプでリアフォーカス方式を用い、全系が小型で高ズーム比のズームレンズが知られている（特許文献１，２）。
【０００４】
特許文献１は、物体側より像側へ順に正、負、正、負、正、負の屈折力の第１〜第６レンズ群より成り、各レンズ群を移動させてズーミングを行い、第６レンズ群を移動させてフォーカスを行ったズームレンズを開示している。特許文献２は物体側から像側へ順に、正、負、正、負、正、負、正の屈折力のレンズ群より成る７群ズームレンズにおいて第１レンズ群、第３レンズ群、第４レンズ群、第６レンズ群を移動させてズーミングを行い、第６レンズ群でフォーカスを行うリアフォーカス型のズームレンズを開示している。
【先行技術文献】
【特許文献】
【０００５】
【特許文献１】特開平０４−１８６２１２号公報
【特許文献２】特開２００４−３１７８６７号公報
【発明の概要】
【発明が解決しようとする課題】
【０００６】
一般に所定のズーム比を有しつつ、全系が小型化のズームレンズを得るためには、ズームレンズを構成する各レンズ群の屈折力（光学的パワー＝焦点距離の逆数）を強めつつ、レンズ枚数を削減すれば良い。しかしながら、このようにしたズームレンズは、ズーミング及びフォーカシングに伴う収差変動が多くなり、全ズーム範囲及び全物体距離にわたり高い光学性能を得るのが難しくなってくる。
【０００７】
ポジティブリードタイプのズームレンズにおいて、全ズーム範囲および全物体距離で高い光学性能を得るためには、ズームタイプや各レンズ群のパワー、そして各レンズ群のレンズ構成等を適切に設定する必要がある。例えば各レンズ群のズーミングに伴う移動条件を適切に設定することが高ズーム比化及び全系の小型化を図るのに重要になってくる。また、フォーカシングに伴う収差変動を少なくし、全物体距離にわたり高い光学性能を得るには、フォーカスレンズ群の選定及びフォーカスレンズ群のレンズ構成等を適切に設定することが重要になってくる。
【０００８】
本発明は、光学系全体が小型で、広画角かつ高ズーム比で、しかも全ズーム範囲にわたり高い光学性能が容易に得られるズームレンズ及びそれを有する撮像装置の提供を目的とする。
【課題を解決するための手段】
【０００９】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有し、広角端から望遠端へのズーミングに際して、前記第１レンズ群と前記第２レンズ群の間隔が大きくなり、前記第２レンズ群と前記第３レンズ群の間隔が小さくなり、前記第３レンズ群と前記第４レンズ群の間隔が大きくなり、前記第４レンズ群と前記第５レンズ群の間隔が小さくなり、前記第５レンズ群と前記第６レンズ群の間隔が変化するように各レンズ群が移動し、無限遠物体から近距離物体へのフォーカシングに際して前記第６レンズ群が像側へ移動するズームレンズであって、前記第２レンズ群の広角端における後側主点位置から、前記第２レンズ群より像側に配置された各レンズ群からなる後続レンズ群の広角端における前側主点位置までの距離をＤ２Ｒｗ、広角端における前記後続レンズ群の焦点距離をｆＲｗとするとき、
１．４４１≦Ｄ２Ｒｗ／ｆＲｗ＜２．０
なる条件を満足することを特徴としている。
【発明の効果】
【００１０】
本発明によれば、光学系全体が小型で、広画角かつ高ズーム比で、しかも全ズーム範囲及び全物体距離にわたり高い光学性能が容易に得られるズームレンズが得られる。
【図面の簡単な説明】
【００１１】
【図１】実施例１の広角端におけるレンズ断面図
【図２】（Ａ）、（Ｂ）  実施例１の広角端と望遠端における収差図
【図３】実施例２の広角端におけるレンズ断面図
【図４】（Ａ）、（Ｂ）  実施例２の広角端と望遠端における収差図
【図５】実施例３の広角端におけるレンズ断面図
【図６】（Ａ）、（Ｂ）  実施例３の広角端と望遠端における収差図
【図７】実施例４の広角端におけるレンズ断面図
【図８】（Ａ）、（Ｂ）  実施例４の広角端と望遠端における収差図
【図９】実施例５の広角端におけるレンズ断面図
【図１０】（Ａ）、（Ｂ）  実施例５の広角端と望遠端における収差図
【図１１】実施例６の広角端におけるレンズ断面図
【図１２】（Ａ）、（Ｂ）  実施例６の広角端と望遠端における収差図
【図１３】実施例７の広角端におけるレンズ断面図
【図１４】（Ａ）、（Ｂ）  実施例７の広角端と望遠端における収差図
【図１５】実施例８の広角端におけるレンズ断面図
【図１６】（Ａ）、（Ｂ）  実施例８の広角端と望遠端における収差図
【図１７】実施例９の広角端におけるレンズ断面図
【図１８】（Ａ）、（Ｂ）  実施例９の広角端と望遠端における収差図
【図１９】実施例１０の広角端におけるレンズ断面図
【図２０】（Ａ）、（Ｂ）  実施例１０の広角端と望遠端における収差図
【図２１】本発明の撮像装置の要部概略図
【発明を実施するための形態】
【００１２】
以下、本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有する。更に正の屈折力の第７レンズ群を有する場合もある。
【００１３】
広角端から望遠端へのズーミングに際して、第１レンズ群と第３レンズ群乃至第６レンズ群は物体側へ移動する。具体的には第１レンズ群と第２レンズ群の間隔が大きくなり、第２レンズ群と第３レンズ群の間隔が小さくなり、第３レンズ群と第４レンズ群の間隔が大きくなるように移動する。また、第４レンズ群と第５レンズ群の間隔が小さくなり、第５レンズ群と第６レンズ群の間隔が変化するように各レンズ群が移動する。無限遠物体から近距離物体へのフォーカシングに際して、前記第６レンズ群が像側へ移動する。
【００１４】
図１は本発明の実施例１のズームレンズの広角端（短焦点距離端）におけるレンズ断面図である。図２（Ａ）、（Ｂ）は本発明の実施例１の広角端と望遠端（長焦点距離端）における縦収差図である。図３は本発明の実施例２のズームレンズの広角端におけるレンズ断面図である。図４（Ａ）、（Ｂ）は本発明の実施例２の広角端と望遠端における縦収差図である。図５は本発明の実施例３のズームレンズの広角端におけるレンズ断面図である。図６（Ａ）、（Ｂ）は本発明の実施例３の広角端と望遠端における縦収差図である。
【００１５】
図７は本発明の実施例４のズームレンズの広角端におけるレンズ断面図である。図８（Ａ）、（Ｂ）は本発明の実施例４の広角端と望遠端における縦収差図である。図９は本発明の実施例５のズームレンズの広角端におけるレンズ断面図である。図１０（Ａ）、（Ｂ）は本発明の実施例５の広角端と望遠端における縦収差図である。図１１は本発明の実施例６のズームレンズの広角端におけるレンズ断面図である。図１２（Ａ）、（Ｂ）は本発明の実施例６の広角端と望遠端における縦収差図である。
【００１６】
図１３は本発明の実施例７のズームレンズの広角端におけるレンズ断面図である。図１４（Ａ）、（Ｂ）は本発明の実施例７の広角端と望遠端における縦収差図である。図１５は本発明の実施例８のズームレンズの広角端におけるレンズ断面図である。図１６（Ａ）、（Ｂ）は本発明の実施例８の広角端と望遠端における縦収差図である。図１７は本発明の実施例９のズームレンズの広角端におけるレンズ断面図である。図１８（Ａ）、（Ｂ）は本発明の実施例９の広角端と望遠端における縦収差図である。
【００１７】
図１９は本発明の実施例１０のズームレンズの広角端におけるレンズ断面図である。図２０（Ａ）、（Ｂ）は本発明の実施例１０の広角端と望遠端における縦収差図である。図２１は、本発明のズームレンズを備えるビデオカメラ（撮像装置）の要部概略図である。
【００１８】
レンズ断面図において左方が物体側(前方)で、右方が像側（後方）である。各実施例のズームレンズはビデオカメラ、デジタルカメラ等の撮像装置に用いられる撮影レンズ系である。レンズ断面図において、Ｌ１は正の屈折力を有する第１レンズ群、Ｌ２は負の屈折力を有する第２レンズ群、Ｌ３は正の屈折力を有する第３レンズ群、Ｌ４は負の屈折力を有する第４レンズ群、Ｌ５は正の屈折力を有する第５レンズ群である。Ｌ６は負の屈折力の第６レンズ群である。
【００１９】
Ｌ７は正の屈折力の第７レンズ群である。ＬＲは第３レンズ群Ｌ３よりも像側の各レンズ群よりなる後続レンズ群である。ここで屈折力とは、光学的パワー＝焦点距離の逆数である。ＳＰは開口絞りであり、第３レンズ群Ｌ３の物体側に配置されている。ＩＰは像面であり、ビデオカメラやデジタルスチルカメラの撮影光学系として使用する際にはＣＣＤセンサーやＣＭＯＳセンサー等の固体撮像素子（光電変換素子）の撮像面、銀塩フィルム用カメラのときはフィルム面等の感光面に相当する。
【００２０】
矢印は広角端から望遠端へのズーミングに際しての各レンズ群の移動軌跡を示している。フォーカスに関する矢印は無限遠物体から近距離物体へのフォーカシングに際してのレンズ群の移動方向を示している。
【００２１】
球面収差図において、実線、２点鎖線、点線は各々ｄ線（波長５８７．５６ｎｍ）、ｇ線（波長４３５．８ｎｍ）、正弦条件である。非点収差図において点線、実線は各々ｄ線に関するメリディオナル像面、サジタル像面である。倍率色収差はｇ線によって表わしている。ＦｎｏはＦナンバー、ωは半画角である。尚、以下の各実施例において広角端と望遠端は変倍用レンズ群が機構上光軸上移動可能な範囲の両端に位置したときのズーム位置をいう。
【００２２】
本発明のズームレンズは物体側から像側へ順に、正、負、正、負、正、負の屈折力の第１レンズ群Ｌ１乃至第６レンズ群Ｌ２を有し、第６レンズ群Ｌ６でフォーカシングを行うことにより、高ズーム比化を容易にしている。また、広画角化を容易にするため、広角端における第２レンズ群Ｌ２の後側主点位置から第３レンズ群Ｌ３より像側の各レンズ群からなる後続レンズ群ＬＲの前側主点位置まで間隔を大とし、各レンズ群の屈折力を適切に設定している。その結果、撮影半画角３４度以上でズーム比１０倍以上の小型なズームレンズを実現している。
【００２３】
本発明のズームレンズは所謂ポジティブリードタイプのズームレンズである。広角端から望遠端へのズーミングに際して、各レンズ群間隔が前述の如く変化するように所定のレンズ群を移動している。このとき、各レンズ群が変倍に寄与するようにして、高ズーム比化を容易にしている。
【００２４】
特に、本発明のズームレンズは広角端から望遠端へのズーミングに際して、第１レンズ群Ｌ１を物体側に繰り出している。これにより、広角端においてレトロフォーカスタイプ、望遠端においてテレフォトタイプの傾向を有しつつ、広角端におけるレンズ全長を短くしている。
【００２５】
無限遠物体から近距離物体へのフォーカシングは第６レンズ群Ｌ６を像面側に動かすことで行っている。そのため、フォーカシングのためのスペースを確保する必要性から各レンズ群のズームにおける移動量が制限されることがなく、高ズーム比化と全系の小型化を容易にしている。
【００２６】
また、第６レンズ群Ｌ６は広角端から望遠端へのズーミングに際して物体側に動かしている。これにより広角端と比較して望遠端におけるフォーカス敏感度（フォーカスレンズ群を動かした時のピントの移動量）を大きくすることが出来ることを利用して、望遠端においてフォーカシングのための移動量が増大しないようにしている。
【００２７】
各実施例では広角端において、第２レンズ群Ｌ２の後側主点位置から、第３レンズ群Ｌ３より像側の各レンズ群からなる後続レンズ群ＬＲの前側主点位置までの距離をＤ２Ｒｗとする。広角端における後続レンズ群ＬＲの焦点距離をｆＲｗとする。このとき、
１．４４１≦Ｄ２Ｒｗ／ｆＲｗ＜２．０      ・・・（１）
なる条件を満足している。
【００２８】
条件式（１）は広角端において第２レンズ群Ｌ２の後側主点から後続レンズ群ＬＲの前側主点までの間隔と、後続レンズ群ＬＲの合成焦点距離の関係を規定するものである。下限を下回ると広角端において第２レンズ群Ｌ２の作る像点から後続レンズ群ＬＲまでの距離が近づきすぎて、後続レンズ群ＬＲの結像倍率が大きくなってしまい、広画角化が困難となる。上限を上回ると、広画角化には有利となるが、レンズ全長が大型化してくる。更に好ましくは条件式（１）の数値範囲を以下のように設定するのが良い。
【００２９】
１．４４１≦Ｄ２Ｒｗ／ｆＲｗ＜１．７０      ・・・（１ａ）
さらに、好ましくは以下の条件式のいずれか１つ以上を満足するのが良い。
【００３０】
第１レンズ群Ｌ１の焦点距離をｆ１、第２レンズ群Ｌ２の焦点距離をｆ２、第３レンズ群Ｌ３の焦点距離をｆ３、第４レンズ群Ｌ４の焦点距離をｆ４、第５レンズ群Ｌ５の焦点距離をｆ５、第６レンズ群Ｌ６の焦点距離をｆ６とする。広角端と望遠端における全系の焦点距離を各々ｆｗ、ｆｔとする。広角端におけるズームレンズのバックフォーカスをＳｋｗとする。望遠端における第２レンズ群Ｌ２の結像倍率をβ２ｔとする。望遠端において第６レンズ群Ｌ６の最も像側のレンズ面から像面までの望遠端における光軸上の距離をｓｋｔとする。第１レンズ群Ｌ１に含まれる正レンズの材料のアッベ数をνｄ１ｐ、ｇ線とＦ線を基準とした部分分散比をθｇＦ１ｐとする。
【００３１】
第５レンズ群Ｌ５に含まれる正レンズの材料のアッベ数をνｄ５ｐ、ｇ線とＦ線を基準とした部分分散比をθｇＦ５ｐとする。第６レンズ群Ｌ６に含まれる正レンズの材料のアッベ数をνｄ６ｐとする。ここで部分分散比θｇＦは材料のｇ線、Ｆ線、Ｃ線に対する屈折率を各々ｎｇ、ｎＦ、ｎＣとする。このとき、
θｇＦ＝（ｎｇ−ｎＦ）／（ｎＦ−ｎＣ）
の式で表される。
【００３２】
またアッベ数νｄは材料のｄ線、Ｆ線、Ｃ線に対する屈折率を各々ｎｄ、ｎＦ、ｎＣとする。このとき、
νｄ＝（ｎｄ−１）／（ｎＦ−ｎＣ）
の式で表される。
【００３３】
このとき、以下の条件式のうち１以上を満足するのが良い。
【００３４】
１．２＜ｆ１／√（ｆｗ×ｆｔ）＜１．８        ・・・（２）
−０．３＜ｆ２／√（ｆｗ×ｆｔ）＜−０．１８    ・・・（３）
−１．６＜β２ｔ＜−０．９                      ・・・（４）
０．９＜ｆ３／ｆ５＜３．０                      ・・・（５）
−８．０＜ｆ１／ｆ２＜−５．０                  ・・・（６）
−１．３＜ｆ４／√（ｆｗ×ｆｔ）＜−０．４      ・・・（７）
−１．００＜ｆ６／ｓｋｔ＜−０．２６            ・・・（８）
７０＜νｄ１ｐ＜９６                            ・・・（９）
０．０１８５＜θｇＦ１ｐ−０．６４３８＋０．００１６８２×νｄ１ｐ＜０．０５１０
・・・（１０）
７０＜νｄ５ｐ＜９６                            ・・・（１１）
０．０１８５＜θｇＦ５ｐ−０．６４３８＋０．００１６８２×νｄ５ｐ＜０．０５１
・・・（１２）
１８＜νｄ６ｐ＜２６                            ・・・（１３）
１．４＜Ｓｋｗ／ｆｗ＜２．５                    ・・・（１４）
次に前述の各条件式の技術的意味について説明する。
【００３５】
条件式（２）は第１レンズ群Ｌ１の焦点距離に対する広角端と、望遠端における全系の焦点距離の関係を規定している。第１レンズ群Ｌ１で発生した収差は第２レンズ群Ｌ２以降で拡大される関係にあるので、出来る限り第１レンズ群Ｌ１の焦点距離を長く設定するのが望ましい。
【００３６】
しかしながら、ポジティブリードのズームレンズにおいて第１レンズ群Ｌ１の焦点距離を長く設定すると、ズーミングのためのスペースを多く必要となり、全系が大型化してくる。従って、第１レンズ群Ｌ１の焦点距離を適切に設定することが高ズーム比化と全系の小型化を図る際に重要となる。条件式（２）の下限値を下回り第１レンズ群Ｌ１の焦点距離を短くしすぎると、全系の小型化には有利となるが、特に望遠端において高次の球面収差、コマ収差が多く発生し、これらの補正が困難となる。
【００３７】
また、これらの収差を補正するために第１レンズ群Ｌ１の正レンズに屈折率の大きな硝材を用いると、一般にこれらの硝材の異常分散性は比較的小さい。このため望遠端において二次の倍率色収差及び軸上色収差が極めて大きくなってくる。一方、条件式（２）の上限を上回り第１レンズ群Ｌ１の焦点距離を長くしすぎると、望遠端においてテレフォトタイプの傾向が弱まり、変倍のための第１レンズ群Ｌ１の移動量が増加してくる。第１レンズ群Ｌ１の移動量が大きくなりすぎると、ズーミングのためのメカ機構が複雑になってしまい、全系が大型化してくる。
【００３８】
条件式（３）は第２レンズ群Ｌ２の焦点距離に対する広角端と望遠端における焦点距離の関係を規定している。第２レンズ群Ｌ２の焦点距離は前玉有効径とズーム比、そして諸収差の補正に密接な関係がある。一般にレンズの外径はレンズ系の明るさによって決まる軸上光線の入射高、または十分な軸外光線の光量を確保するために必要な軸外光線の入射高によって決まっている。ポジティブリードで広角域を含む高ズーム比のズームレンズは広角側における前玉への軸外光線の入射高が大きく、前玉有効径はこれにより決まっている。
【００３９】
従って前玉有効径を小さくするには、傾きの大きな光線を大きく屈折させる必要がある。このためには、第２レンズ群Ｌ２の負の屈折力を大きくして第１レンズ群Ｌ１と第２レンズ群Ｌ２の負の合成屈折力を強くするのが良い。条件式（３）の下限値を下回り第２レンズ群Ｌ２の負の屈折力が弱くなりすぎると、前玉有効径が大きくなり全系が大型化してくる。また、前玉有効径が大きくなると広角端において第１レンズ群Ｌ１を通る光線の入射高が大きくなりすぎるため、第１レンズ群Ｌ１より高次の歪曲収差が多く発生してくる。
【００４０】
従って、広角端において第１レンズ群Ｌ１より発生する高次の歪曲収差により、所謂陣笠形状の歪曲収差が多く発生する。また、第２レンズ群Ｌ２はポジティブリードのズームレンズにおいて最も大きな変倍分担を持っているレンズ群である。従って、第２レンズ群Ｌ２の負の屈折力を強くするとさらに変倍効果が大きくなり、高ズーム比化や第１レンズ群Ｌ１のズーミングにおける移動量の短縮が容易になる。
【００４１】
一方で、ポジティブリードのズームレンズでは広角側と望遠側において第２レンズ群Ｌ２を通る光線の通り方が著しく変わる。このため、第２レンズ群Ｌ２において収差変動、特に像面湾曲や歪曲収差の変動が発生しやすくなっている。さらに、広角端において第２レンズ群Ｌ２に入射する軸外光の入射角は、第１レンズ群Ｌ１でさらに傾きが大きくなるため、極めて大きくなっている。
【００４２】
そのため、広角端において第２レンズ群Ｌ２で高次の歪曲収差や像面湾曲が発生しやすくなっている。従って、条件式（３）の上限値を超えて第２レンズ群Ｌ２の負の屈折力を強くしすぎると広角端における高次の歪曲や像面湾曲が大きくなってくる。さらに、第２レンズ群Ｌ２はズーミングによる光線の通り方の変化が大きいため、諸収差のズーミングによる変動が大きい。そのため、条件式（３）の上限値を超えて第２レンズ群Ｌ２の負の屈折力を強くしすぎると非点収差や歪曲収差等のズーミングによる変動が大きくなってきて、ズーム全域で良好な光学性能を得るのが難しくなってくる。
【００４３】
条件式（４）は第２レンズ群Ｌ２の望遠端における結像倍率を規定している。一般にズーミングに際して結像倍率が等倍をはさむ軌跡を取ることでズーミングにおけるレンズ群の移動量を少なくすることが出来る。従って条件式（４）の上限を超えて結像倍率β２ｔの値を等倍の−１よりも遠ざけてしまうとズーミングにおける第１レンズ群Ｌ１と第２レンズ群Ｌ２の相対移動量が大きくなってくる。第１レンズ群Ｌ１と第２レンズ群Ｌ２の相対移動量が大きくなると、望遠端において第１レンズ群Ｌ１を大きく繰り出す必要があり、全系が大型化してくる。
【００４４】
一方、条件式（４）の下限を下回り、結像倍率β２ｔの絶対値が大きくなりすぎると、第１レンズ群Ｌ１の屈折力が大きくなってきて、第１レンズ群Ｌ１の屈折力を条件式（２）の条件式の数値範囲に設定することが困難となる。
【００４５】
条件式（５）は第３レンズ群Ｌ３と第５レンズ群Ｌ５の焦点距離の比を規定している。第５レンズ群Ｌ５の焦点距離を第３レンズ群Ｌ３と比較して短くして物体側の正の屈折力を強くすることで、広角端においてレトロフォーカスタイプの配置として広角端のバックフォーカスを十分長く確保することが容易となる。
【００４６】
条件式（５）の下限を下回り第５レンズ群Ｌ５の焦点距離が長くなりすぎると、広角端において十分なバックフォーカスを確保することが難しくなってくる。また、条件式（５）の上限を上回り第５レンズ群Ｌ５の焦点距離を短くしすぎると、第５レンズ群Ｌ５より発生する収差が大きくなってきて、主に広角端におけるサジタルフレアーやコマ収差のズーム変動が大となってくる。
【００４７】
条件式（６）は第１レンズ群Ｌ１と第２レンズ群Ｌ２の焦点距離の比を規定している。条件式（６）を満足せず、十分なバックフォーカスが確保できない場合、第１レンズ群Ｌ１と第２レンズ群Ｌ２の焦点距離の比を条件式（６）の条件内に設定すると良い。条件式（６）のように第１レンズ群Ｌ１に対して第２レンズ群Ｌ２の屈折力を比較的強くすることにより、第１レンズ群Ｌ１と第２レンズ群Ｌ２が広角端において強い負の合成屈折力を持たせることが出来る。
【００４８】
従って条件式（５）を満足していない場合も全系として広角端においてレトロフォーカスの構成をとることが出来るので、十分な長さのバックフォーカスを得ることが出来る。条件式（５）を満足せず、かつ条件式（６）の上限を超えて第２レンズ群Ｌ２の負の屈折力が弱くなってくると、広角端において十分な長さのバックフォーカスを得ることが難しくなる。一方、条件式（６）の下限を下回り、第２レンズ群Ｌ２の負の屈折力が強くなりすぎると条件式（３）を満足することが困難となる。
【００４９】
条件式（７）は第４レンズ群Ｌ４の焦点距離を規定している。第４レンズ群Ｌ４の負の屈折力を強くすると、ズーミングの際に後続レンズ群ＬＲの前側主点位置の移動量を大きくすることが出来るので、高ズーム比化が容易となる。条件式（７）の下限を下回り第４レンズ群Ｌ４の負の屈折力が弱くなりすぎると、高ズーム比化が難しくなる。一方、条件式（７）の上限を超えて第４レンズ群Ｌ４の負の屈折力が強くなりすぎると、後続レンズ群ＬＲに適切な屈折力を持たせるために第３レンズ群Ｌ３の正の屈折力が強くなり、特に望遠端において高次の球面収差が多く発生し、これの補正が困難となる。
【００５０】
条件式（８）は第６レンズ群Ｌ６の焦点距離を規定している。条件式（８）の上限を超えて第６レンズ群Ｌ６の負の屈折力が弱くなりすぎると、望遠端においてフォーカスのための移動量が大きくなりすぎ、最短撮影距離を短くするのが難しくなってくる。条件式（８）の下限を下回り第６レンズ群Ｌ６の負の屈折力が強くなりすぎると、球面収差やコマ収差のズーミングによる変動や像面湾曲のフォーカスシングによる変動が増大してくる。
【００５１】
条件式（９）、（１０）は第１レンズ群Ｌ１が物体側から像側へ順に、負レンズと正レンズの接合レンズ、メニスカス形状の正レンズを有しているときの１つの正レンズの材料のアッベ数νｄ１ｐと部分分散比θｇＦ１ｐに関する。条件式（９）、（１０）を満足することにより、特に望遠端において軸上色収差及び倍率色収差を良好に補正することが容易となる。条件式（１１）、（１２）は第５レンズ群Ｌ５中の１つの正レンズの材料のアッベ数νｄ５ｐと部分分散比θｇＦ５ｐに関する。条件式（１１）、（１２）を満足することにより、特に広角端において倍率色収差を良好に補正することが容易となる。
【００５２】
第６レンズ群Ｌ６は正レンズと負レンズの貼り合わせレンズを有していると良い。条件式（１３）は第６レンズ群Ｌ６が１以上の正レンズを有し、このうち少なくとも１つの正レンズの材料のアッベ数νｄ６ｐに関する。条件式（１３）を満足することにより、第６レンズ群Ｌ６の各レンズのレンズ面の曲率を小さく設定することが出来る。これにより第６レンズ群Ｌ６の重量を軽くすることが出来るので、フォーカシングの際の作動性が良好になる。
【００５３】
条件式（１４）は、広角端におけるバックフォーカスと広角端における全系の焦点距離の比に関する。一眼レフカメラなどの長いバックフォーカスを必要とする撮像装置に最適な条件を設定したものである。ここでバックフォーカスとは曲率を有するレンズの内、最も像側に位置するレンズの像側のレンズ面から近軸像面までの距離である。更に好ましくは条件式（２）乃至（１４）の数値範囲を次の如く設定するのが良い。
【００５４】
１．２５＜ｆ１／√（ｆｗ×ｆｔ）＜１．７０      ・・・（２ａ）
−０．２８＜ｆ２／√（ｆｗ×ｆｔ）＜−０．２０  ・・・（３ａ）
−１．４０＜β２ｔ＜−０．９５                  ・・・（４ａ）
０．９５＜ｆ３／ｆ５＜２．７０                  ・・・（５ａ）
−７．５＜ｆ１／ｆ２＜−５．６                  ・・・（６ａ）
−１．２０＜ｆ４／√（ｆｗ×ｆｔ）＜−０．４５  ・・・（７ａ）
−０．９６＜ｆ６／ｓｋｔ＜−０．４０            ・・・（８ａ）
７０＜νｄ１ｐ＜９５                            ・・・（９ａ）
０．０１９＜θｇＦ１ｐ−０．６４３８＋０．００１６８２×νｄ１ｐ＜０．０５０
・・・（１０ａ）
７０＜νｄ５ｐ＜９５                            ・・・（１１ａ）
０．０１９＜θｇＦ５ｐ−０．６４３８＋０．００１６８２×νｄ５ｐ＜０．０５０
・・・（１２ａ）
１８．５＜νｄ６ｐ＜２５．７                    ・・・（１３ａ）
１．６＜Ｓｋｗ／ｆｗ＜２．４                    ・・・（１４ａ）
各実施例において、第２レンズ群Ｌ２は３枚の負レンズと２枚以下の正レンズを有するのが良い。各レンズ群のうち第２レンズ群Ｌ２は屈折力の絶対値が最も大きいレンズ群なので、このように構成レンズ枚数を多くして屈折力を複数のレンズで分担することにより、諸収差の発生を抑えている。さらに好ましくは１以上の非球面レンズを有しているのが良い。これによれば、特に広角端における像面湾曲を良好に補正することが容易となる。
【００５５】
第３レンズ群Ｌ３は正レンズと負レンズの貼り合わせレンズを有するのが良い。さらに好ましくは１以上の非球面レンズを有しているのが良い。これによれば、特にズーム全域において球面収差を良好に補正することが容易となる。
【００５６】
第４レンズ群Ｌ４は正レンズと負レンズの貼り合わせレンズを有しているのが良い。また、第４レンズ群Ｌ４の屈折力を条件式（７）の数値範囲に設定し、１以上の非球面レンズを有する構成にすれば、第４レンズ群Ｌ４を光軸と垂直な方向の成分を持つように移動させることによる結像位置を移動、即ち手ぶれ補正を行うことが容易となる。
【００５７】
第５レンズ群Ｌ５は３枚の正レンズと１枚の負レンズより構成するのが良い。第５レンズ群Ｌ５は広角化のために屈折力が大きいレンズ群なので、このように構成レンズ枚数を多くして屈折力を複数のレンズで分担することにより、諸収差の発生を抑えている。さらに好ましくは１以上の非球面レンズを有しているのが良い。これによれば、特に広角端における歪曲収差等を良好に補正することが容易となる。実施例１、３乃至１０のズームレンズは物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群から構成される。また、第６レンズ群Ｌ６の像側にズーミングに際して不動であり正の屈折力の第７レンズ群を配置するのが良い。これによればズーミングに際しての収差変動を軽減するのが容易になる。
【００５８】
本発明において開口絞りは第３群と一体移動としている。しかしながら絞りを第３群と独立に動かしても本発明の効果を得ることが出来る。
【００５９】
以上のように各実施例によれば、高ズーム比で、広角域を含みつつ十分な長さのバックフォーカスを有し、全ズーム範囲、全物体距離にわたり良好な光学性能を有した小型のズームレンズを得ることができる。
【００６０】
次に、各実施例に示したようなズームレンズを撮影光学系として用いた、デジタルカメラの実施形態を図２１を用いて説明する。図２１において、２０はカメラ本体、２１は本発明のズームレンズによって構成された撮像光学系である。２２は撮像光学系２１によって形成された被写体像を受光するＣＣＤなどの固体撮像素子である。２３は固体撮像素子２２が受光した被写体像を記録する記録手段、２４は不図示の表示素子に表示された被写体像を観察するためのファインダーである。
【００６１】
上記表示素子は液晶パネルなどによって構成され、固体撮像素子２２上に形成された被写体像が表示される。このように本発明のズームレンズをビデオカメラなどの光学機器に適用することにより、高ズーム比で、全系の小さなズームレンズを有する撮像装置を実現している。
【００６２】
本発明のズームレンズはクイックリターンミラーのないミラーレスの一眼レフカメラにも適用することができる。
【００６３】
以上、本発明の好ましい実施形態について説明したが、本発明はこれらの実施形態に限定されず、その要旨の範囲内で種々の変形及び変更が可能である。
【００６４】
次に、本発明の実施例１〜１０に各々対応する数値実施例１〜１０を示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。広角（広角端）、中間（中間のズーム位置）、望遠（望遠端）について焦点距離、Ｆナンバーを示している。また、非球面には面番号の横に＊の印を記す。近軸曲率半径をＲ、離心率をＫ、非球面係数をＡ４、Ａ６、Ａ８、Ａ１０とする。
【００６５】
光軸からの高さｈの位置での光軸方向の変位を面頂点を基準にしてｘとするとき、非球面形状は、
Ｘ＝（Ｈ２／Ｒ）／［１＋｛１−（１＋Ｋ）（Ｈ／Ｒ）２｝１／２］＋Ａ４・Ｈ４＋Ａ
６・Ｈ６＋Ａ８・Ｈ８＋Ａ１０・Ｈ１０
で表わされる。なお、各非球面係数における「Ｅ±ＸＸ」は「×１０±ＸＸ」を意味している。また、各数値実施例における上述した条件式（１）乃至（８）との対応を表１に示す。
【００６６】
［数値実施例１］
面番号       r        d      nd         νd
1        115.267    1.10   1.74950    35.3           
2         56.531    9.15   1.49700    81.5           
3       -462.423    0.12                             
4         56.973    5.10   1.49700    81.5           
5        339.321  (可変)                             
6*        45.434    1.20   1.77250    49.6           
7         15.218    7.47                             
8        -37.803    1.09   1.81600    46.6           
9         36.183    0.15                             
10         27.918    4.60   1.84666    23.9           
11        -47.920    1.57                             
12        -23.870    0.87   1.77250    49.6           
13       -245.672  (可変)                             
14(絞り)    ∞       0.66                             
15         21.615    2.76   1.64769    33.8           
16*       141.673    1.23                             
17         55.773    2.71   1.58144    40.8           
18       -333.154    0.09                             
19         42.193    0.90   1.80518    25.4           
20         12.349    5.01   1.51633    64.1           
21       -275.204  (可変)                             
22*       -29.049    2.07   1.85026    32.3           
23        -15.359    0.76   1.69680    55.5           
24         81.782  (可変)                             
25*        83.000    3.49   1.48749    70.2           
26        -26.399    0.00                             
27        117.198    4.05   1.49700    81.5           
28        -23.283    1.05   1.84666    23.9           
29       -152.463    0.14                             
30         58.079    3.55   1.80100    35.0           
31        -50.647  (可変)                             
32       -372.933    2.79   1.84666    23.9           
33        -34.747    1.07   1.81600    46.6           
34         33.628  (可変)                             
像面        ∞   
【００６７】
非球面データ
第6面
K = 0.00000e+000  A 4= 1.41662e-006  A 6= 4.06417e-009  A 8=-5.44223e-011  A10= 1.86232e-013  
第16面
K = 0.00000e+000  A 4= 1.07693e-005  A 6= 1.03287e-008  A 8=-1.30214e-011  
第22面
K = 0.00000e+000  A 4= 3.01237e-006  A 6= 3.34207e-009  A 8=-2.22213e-010  A10= 2.46915e-012  
第25面
K = 0.00000e+000  A 4=-1.82792e-005  A 6= 2.52931e-008  A 8=-5.32668e-011  
広角     中間     望遠
焦点距離      18.75    59.52   270.67    
Fナンバー      3.18     4.69     5.88     
半画角（度）  36.08    12.93     2.89    
d 5            0.41    27.22    58.52    
d13           32.24    15.49     0.47    
d21            1.82     7.39    10.06     
d24            9.16     3.59     0.92     
d31            0.94     0.96     0.91     
d34           35.76    56.72    71.52    
【００６８】
［数値実施例２］
面番号       r        d      nd         νd
1        115.594    1.25   1.74950    35.3           
2         58.382    8.50   1.49700    81.5           
3       -543.881    0.12                             
4         56.650    5.00   1.49700    81.5           
5        255.169  (可変)                             
6*        40.034    1.25   1.77250    49.6           
7         14.681    7.87                             
8        -36.261    1.25   1.81600    46.6           
9         40.861    0.15                             
10         29.123    4.50   1.84666    23.9           
11        -53.894    1.25                             
12        -26.719    1.25   1.77250    49.6           
13       -703.034  (可変)                             
14(絞り)    ∞       0.75                             
15         24.464    3.31   1.64769    33.8           
16*      -301.124    0.10                             
17         39.789    1.00   1.80518    25.4           
18         14.477    5.28   1.51633    64.1           
19        -41.259  (可変)                             
20*       -23.416    2.30   1.80518    25.4           
21        -16.046    1.00   1.64000    60.1           
22        126.554  (可変)                             
23*       148.132    3.50   1.48749    70.2           
24        -21.599    0.10                             
25       -267.802    4.20   1.49700    81.5           
26        -17.543    1.25   1.84666    23.9           
27       -113.528    0.10                             
28         77.730    3.20   1.85026    32.3           
29        -43.144  (可変)                             
30       -584.224    2.50   1.80809    22.8           
31        -39.009    1.00   1.81600    46.6           
32         29.031  (可変)                             
33       -113.308    2.00   1.48749    70.2           
34        -48.950   35.42     
像面        ∞   
【００６９】
非球面データ
第6面
K = 0.00000e+000  A 4= 6.67557e-007  A 6= 2.58408e-009  A 8=-4.37755e-011  A10= 1.05064e-013  
第16面
K = 0.00000e+000  A 4= 1.06810e-005  A 6= 6.59227e-009  A 8=-5.28137e-011  
第20面
K = 0.00000e+000  A 4= 1.21078e-005  A 6= 1.92087e-008  A 8=-7.95974e-010  A10= 6.32000e-012  
第23面
K = 0.00000e+000  A 4=-2.62525e-005  A 6= 2.74013e-008  A 8= 6.20287e-011  
広角     中間     望遠
焦点距離      18.69    60.72   270.83    
Fナンバー      3.50     4.80     5.88     
半画角（度）  36.16    12.68     2.89    
d 5            0.35    31.36    62.38    
d13           35.80    16.16     0.54    
d19            2.03     5.53     7.29     
d22            6.49     2.99     1.24     
d29            0.97     3.16     3.55     
d32            3.00    20.45    35.68    
【００７０】
［数値実施例３］
面番号       r   
d      nd         νd
1        122.431    0.99   1.83400    37.2           
2         60.793    8.72   1.49700    81.5           
3       -392.652    0.12                             
4         58.524    5.91   1.49700    81.5           
5        426.044  (可変)                             
6*        48.981    1.20   1.77250    49.6           
7         14.829    7.80                             
8        -37.698    1.25   1.81600    46.6           
9         50.174    0.15                             
10         31.714    4.34   1.84666    23.9           
11        -57.423    1.09                             
12        -28.580    1.01   1.77250    49.6           
13       -220.269  (可変)                             
14(絞り)    ∞       0.87                             
15         24.523    2.73   1.64769    33.8           
16*       278.118    2.24                             
17         76.181    1.99   1.58144    40.8           
18       1771.317    0.26                             
19         52.020    0.90   1.80518    25.4           
20         17.446    3.97   1.51633    64.1           
21        205.969  (可変)                             
22*       -29.159    2.16   1.85026    32.3           
23        -16.343    0.91   1.69680    55.5           
24         89.053  (可変)                             
25*        88.343    3.38   1.48749    70.2           
26        -21.238    0.00                             
27         26.255    4.68   1.49700    81.5           
28        -25.486    1.11   1.84666    23.9           
29        354.962    0.20                             
30         78.659    2.90   1.80100    35.0           
31        -42.560  (可変)                             
32        154.242    1.20   1.88300    40.8           
33         16.960    3.00                             
34        -72.975    2.43   1.80518    25.4           
35        -25.285    1.20   1.88300    40.8           
36        219.033    0.15                             
37         29.491    3.40   1.69895    30.1           
38       -222.141  (可変)                             
像面        ∞   
【００７１】
非球面データ
第6面
K = 0.00000e+000  A 4= 1.17915e-006  A 6= 8.18325e-009  A 8=-7.65482e-011  A10= 1.27716e-013  
第16面
K = 0.00000e+000  A 4= 1.18351e-005  A 6=-4.59099e-009  A 8= 6.07038e-011  
第22面
K = 0.00000e+000  A 4= 1.02052e-005  A 6=-5.73784e-008  A 8= 9.44671e-011  A10= 1.15157e-012  
第25面
K = 0.00000e+000  A 4=-3.76395e-005  A 6= 7.73456e-008  A 8=-2.24833e-010  
広角     中間     望遠
焦点距離      18.67    54.99   299.50    
Fナンバー      3.39     4.79     5.88     
半画角（度）  36.18    13.95     2.61    
d 5            0.16    28.20    64.25    
d13           39.73    21.34     0.55    
d21            2.15     4.22     5.19     
d24            4.13     2.06     1.09     
d31            1.06     0.93     0.86     
d38           35.61    60.09    78.93    
【００７２】
［数値実施例４］
面番号       r        d      nd         νd
1        104.956    2.00   1.80610    33.3           
2         57.843    9.20   1.49700    81.5           
3       -395.223    0.10                             
4         53.823    5.60   1.49700    81.5           
5        259.317  (可変)                             
6         55.974    1.20   1.88300    40.8           
7         19.148    4.70                             
8        -72.361    1.20   1.77250    49.6           
9         25.866    3.20   1.68893    31.1           
10       -239.696    1.90                             
11        -33.205    1.00   1.83481    42.7           
12         24.506    2.50   1.84666    23.9           
13       -136.787  (可変)                             
14(絞り)    ∞       1.00                             
15         28.747    3.20   1.71300    53.9           
16        -21.749    1.00   1.85026    32.3           
17*      -109.187  (可変)                             
18        -40.784    1.13   1.65160    58.5           
19         32.120    2.25   1.85026    32.3           
20        101.352  (可変)                             
21*       136.686    3.60   1.60300    65.4           
22        -27.798    0.10                             
23         45.798    4.70   1.49700    81.5           
24        -24.721    1.00   1.80610    33.3           
25        340.461    0.10                             
26         50.000    3.50   1.60300    65.4           
27        -51.026  (可変)                             
28        103.719    2.00   1.80809    22.8           
29       -109.878    1.10   1.83481    42.7           
30         28.098  (可変)                             
像面        ∞   
【００７３】
非球面データ
第17面
K = 0.00000e+000  A 4= 6.14631e-006  A 6= 3.62393e-009  A 8=-7.35936e-011  
第21面
K = 0.00000e+000  A 4=-1.05962e-005  A 6=-1.59212e-009  A 8= 2.34394e-011  
広角     中間     望遠
焦点距離      18.54    49.15   194.16  
Fナンバー      3.22     4.22     5.66  
半画角（度）  36.36    15.52     4.02  
d 5            1.00    27.02    53.04  
d13           23.28    12.13     0.99  
d17            2.00     7.55    13.09  
d20           15.82     8.52     1.23  
d27            2.15     2.44     1.00  
d30           36.33    48.94    63.28  
【００７４】
［数値実施例５］
面番号       r        d      nd         νd
1        111.209    2.00   1.80610    33.3           
2         61.478    9.20   1.49700    81.5           
3       -328.477    0.10                             
4         54.425    5.60   1.49700    81.5           
5        206.846  (可変)                             
6         82.870    1.20   1.88300    40.8           
7         17.562    6.20                             
8        -48.213    1.20   1.88300    40.8           
9         63.063    0.10                             
10         32.914    4.80   1.84666    23.9           
11        -47.188    1.00                             
12        -30.254    1.00   1.60300    65.4           
13         79.574  (可変)                             
14(絞り)    ∞       1.00                             
15         19.573    3.20   1.51633    64.1           
16        -35.591    1.00   1.80400    46.6           
17*       356.624  (可変)                             
18        -23.660    1.13   1.62041    60.3           
19        102.735    2.25   1.80100    35.0           
20        -89.943  (可変)                             
21*       108.954    3.30   1.60300    65.4           
22        -21.060    0.10                             
23        112.509    4.20   1.49700    81.5           
24        -19.644    1.00   1.80610    33.3           
25      -1936.602    0.10                             
26         50.000    3.10   1.60300    65.4           
27        -51.026  (可変)                             
28        133.696    2.00   1.92286    18.9           
29       -203.728    1.10   1.88300    40.8           
30         32.244  (可変)                             
像面        ∞   
【００７５】
非球面データ
第17面
K = 0.00000e+000  A 4= 7.68781e-006  A 6= 4.33121e-008  A 8=-3.05233e-010  
第21面
K = 0.00000e+000  A 4=-2.30316e-005  A 6= 3.15515e-008  A 8=-1.52565e-010  
広角     中間     望遠
焦点距離      18.54    50.09   194.17  
Fナンバー      3.45     4.48     5.66  
半画角（度）  36.36    15.24     4.02  
d 5            1.00    28.01    55.02  
d13           31.30    16.45     1.60  
d17            2.00     3.83     5.65  
d20            7.66     4.33     1.00  
d27            1.61     1.59     1.00  
d30           43.02    59.40    76.33  
【００７６】
［数値実施例６］
面番号       r        d      nd         νd
1        112.705    1.25   1.73800    32.3           
2         55.432    7.64   1.49700    81.5           
3      -2753.053    0.12                             
4         56.614    5.02   1.60300    65.4           
5        210.789  (可変)                             
6*        54.671    1.20   1.88300    40.8           
7         13.657    6.67                             
8        -33.734    1.19   1.88300    40.8           
9         35.557    0.15                             
10         28.953    4.58   1.84666    23.9           
11        -30.521    0.93                             
12        -20.391    1.20   1.77250    49.6           
13        -68.003  (可変)                             
14(絞り)    ∞       1.00                             
15         22.967    3.31   1.68893    31.1           
16*      -947.226    0.15                             
17         37.902    1.07   1.80518    25.4           
18         13.701    5.39   1.51633    64.1           
19        -61.032  (可変)                             
20*       -29.117    2.66   1.85026    32.3           
21        -14.230    1.00   1.72916    54.7           
22        107.497  (可変)                             
23*       120.621    3.76   1.48749    70.2           
24        -20.796    0.00                             
25         71.956    4.17   1.49700    81.5           
26        -20.210    1.20   1.84666    23.9           
27        147.624    0.32                             
28         49.357    4.06   1.71736    29.5           
29        -41.276  (可変)                             
30       -247.069    2.22   1.92286    18.9           
31        -48.567    1.19   1.88300    40.8           
32         45.614  (可変)                             
像面        ∞   
【００７７】
非球面データ
第6面
K = 0.00000e+000  A 4= 6.30178e-006  A 6= 1.50511e-008  A 8=-2.05234e-010  A10= 6.44127e-013  
第16面
K = 0.00000e+000  A 4= 1.05568e-005  A 6= 1.21789e-008  A 8=-5.63360e-011  
第20面
K = 0.00000e+000  A 4= 5.19379e-006  A 6= 5.86158e-009  A 8=-4.04284e-010  A10= 2.91147e-012  
第23面
K = 0.00000e+000  A 4=-2.55268e-005  A 6= 1.94963e-008  A 8=-1.64421e-011  
広角     中間     望遠
焦点距離      16.53    54.38   237.95  
Fナンバー      3.42     4.72     5.88  
半画角（度）  39.56    14.10     3.29  
d 5            0.96    31.96    62.96  
d13           30.58    12.66     0.99  
d19            1.95     6.83    10.61  
d22            9.85     4.97     1.19  
d29            0.50     1.99     0.97  
d32           35.81    52.23    64.92  
【００７８】
［数値実施例７］
面番号       r        d      nd         νd
1        132.300    2.00   1.80610    33.3           
2         60.730   10.50   1.49700    81.5           
3       -442.264    0.10                             
4         57.694    6.20   1.60300    65.4           
5        293.297  (可変)                             
6         62.842    1.20   1.88300    40.8           
7         17.194    6.20                             
8        -44.702    1.20   1.88300    40.8           
9         37.538    0.10                             
10         29.115    4.80   1.84666    23.9           
11        -43.870    1.00                             
12        -28.464    1.00   1.60300    65.4           
13        148.350  (可変)                             
14(絞り)    ∞       1.00                             
15         18.675    3.20   1.51633    64.1           
16        -33.730    1.00   1.83481    42.7           
17*      1510.611  (可変)                             
18        -22.929    1.13   1.62041    60.3           
19         74.851    2.25   1.80610    33.3           
20       -115.242  (可変)                             
21*       123.011    3.30   1.60300    65.4           
22        -19.574    0.10                             
23        111.247    4.20   1.49700    81.5           
24        -18.838    1.00   1.80610    33.3           
25       -749.449    0.10                             
26         50.000    3.10   1.60300    65.4           
27        -51.026  (可変)                             
28        109.537    2.00   1.80809    22.8           
29       -103.657    1.10   1.83481    42.7           
30         30.074  (可変)                             
像面        ∞   
【００７９】
非球面データ
第17面
K = 0.00000e+000  A 4= 9.37673e-006  A 6= 6.44817e-008  A 8=-5.16882e-010  
第21面
K = 0.00000e+000  A 4=-2.63449e-005  A 6= 4.22269e-008  A 8=-2.50996e-010  
広角     中間     望遠
焦点距離      16.81    47.39   194.13  
Fナンバー      3.32     4.46     5.66  
半画角（度）  39.07    16.07     4.02  
d 5            1.00    28.34    55.55  
d13           31.64    16.25     1.29  
d17            2.00     2.10     4.34  
d20            7.17     4.76     0.99  
d27            2.02     1.10     1.00  
d30           38.68    57.24    73.90  
【００８０】
［数値実施例８］
面番号       r        d      nd         νd
1        115.222    1.13   1.74950    35.3           
2         55.688    7.06   1.49700    81.5           
3       -500.424    0.12                             
4         55.022    4.92   1.49700    81.5           
5        309.513  (可変)                             
6*        44.933    1.20   1.77250    49.6           
7         14.944    6.53                             
8        -44.748    1.15   1.81600    46.6           
9         37.931    0.15                             
10         26.892    4.33   1.84666    23.9           
11        -51.741    1.59                             
12        -24.658    1.09   1.77250    49.6           
13        901.405  (可変)                             
14(絞り)    ∞       0.82                             
15         20.790    2.99   1.64769    33.8           
16*       151.892    0.36                             
17         51.742    2.22   1.58144    40.8           
18       -803.666    0.16                             
19         41.084    0.90   1.80518    25.4           
20         12.139    4.59   1.51633    64.1           
21        662.736  (可変)                             
22*       -28.060    2.16   1.85026    32.3           
23        -15.093    0.91   1.69680    55.5           
24         92.898  (可変)                             
25*       115.879    3.87   1.48749    70.2           
26        -23.514    0.00                             
27         62.601    4.17   1.49700    81.5           
28        -30.923    1.07   1.84666    23.9           
29        198.855    0.16                             
30         46.530    3.89   1.80100    35.0           
31        -58.894  (可変)                             
32       -785.553    2.43   1.92286    18.9           
33        -49.800    1.09   1.88300    40.8           
34         36.102  (可変)                             
像面        ∞   
【００８１】
非球面データ
第6面
K = 0.00000e+000  A 4= 1.24738e-006  A 6= 5.98808e-009  A 8=-5.81939e-011  A10= 2.17699e-013  
第16面
K = 0.00000e+000  A 4= 1.23929e-005  A 6= 1.15677e-008  A 8=-1.10386e-011  
第22面
K = 0.00000e+000  A 4= 4.02281e-006  A 6= 3.36811e-009  A 8=-2.74174e-010  A10= 2.78737e-012  
第25面
K = 0.00000e+000  A 4=-2.27904e-005  A 6= 2.16566e-008  A 8=-3.79959e-011  
広角     中間     望遠
焦点距離      20.14    62.85   259.66    
Fナンバー      3.31     4.63     5.88     
半画角（度）  34.15    12.26     3.01    
d 5            0.40    29.18    58.42    
d13           29.03    13.26     0.89    
d21            2.01     6.77     9.54     
d24            8.76     4.00     1.23     
d31            1.71     3.11     0.93     
d34           35.83    52.43    68.74   
【００８２】
［数値実施例９］
面番号       r        d      nd         νd
1         88.225    1.50   1.80100    35.0           
2         58.096    8.60   1.43875    94.9           
3       -250.533    0.12                             
4         57.401    5.12   1.43875    94.9           
5        187.731  (可変)                             
6*        89.048    1.50   1.85400    40.4           
7         16.392    6.00                             
8        -41.056    1.20   1.88300    40.8           
9         44.973    0.15                             
10         33.211    4.83   1.84666    23.9           
11        -33.154    0.65                             
12        -23.510    1.10   1.80400    46.6           
13        -92.766  (可変)                             
14(絞り)    ∞       0.75                             
15         23.534    2.85   1.68893    31.1           
16*       188.709    0.10                             
17         39.015    1.00   1.80518    25.4           
18         15.110    5.89   1.48749    70.2           
19        -66.433  (可変)                             
20*       -29.388    3.88   1.80518    25.4           
21        -16.392    1.00   1.62230    53.2           
22         58.889  (可変)                             
23*        53.929    5.01   1.48749    70.2           
24        -25.927    0.10                             
25       -394.712    3.80   1.43875    94.9           
26        -24.576    1.25   1.84666    23.9           
27       -119.423    0.10                             
28         50.435    4.46   1.74100    52.6           
29        -58.015  (可変)                             
30        120.618    2.62   1.80809    22.8           
31       -118.028    1.00   1.77250    49.6           
32         26.456  (可変)                             
像面        ∞   
【００８３】
非球面データ
第6面
K = 0.00000e+000  A 4= 2.19405e-006  A 6= 1.52063e-008  A 8=-1.33705e-010  A10= 3.65346e-013  
第16面
K = 0.00000e+000  A 4= 7.69558e-006  A 6= 1.39771e-008  A 8=-6.74331e-011  
第20面
K = 0.00000e+000  A 4= 2.95464e-006  A 6= 1.01796e-008  A 8=-1.83369e-010  A10= 6.01235e-013  
第23面
K = 0.00000e+000  A 4=-2.05239e-005  A 6= 1.51354e-008  A 8=-2.24418e-011  
広角     中間     望遠
焦点距離      18.87    70.18   239.70    
Fナンバー      3.15     4.68     5.71    
半画角（度）  35.90    11.01     3.26    
d 5            0.77    30.75    60.73      
d13           31.31     8.85     0.32     
d19            1.73     9.10    12.29     
d22           11.80     4.43     1.24    
d29            2.17     5.40     0.94       
d32           37.71    56.94    69.92    
【００８４】
［数値実施例１０］
単位 mm
面データ
面番号       r        d      nd         νd
1         88.225    1.50   1.80100    35.0           
2         58.096    8.60   1.43875    94.9           
3       -250.533    0.12                             
4         57.401    5.12   1.43875    94.9           
5        187.731  (可変)                             
6*        89.048    1.50   1.85400    40.4           
7         16.392    6.00                             
8        -41.056    1.20   1.88300    40.8           
9         44.973    0.15                             
10         33.211    4.83   1.84666    23.9           
11        -33.154    0.65                             
12        -23.510    1.10   1.80400    46.6           
13        -92.766  (可変)                             
14(絞り)    ∞       0.75                             
15         23.534    2.85   1.68893    31.1           
16*       188.709    0.10                             
17         39.015    1.00   1.80518    25.4           
18         15.110    5.89   1.48749    70.2           
19        -66.433  (可変)                             
20*       -29.388    3.88   1.80518    25.4           
21        -16.392    1.00   1.62230    53.2           
22         58.889  (可変)                             
23*        53.929    5.01   1.48749    70.2           
24        -25.927    0.10                             
25       -394.712    3.80   1.43875    94.9           
26        -24.576    1.25   1.84666    23.9           
27       -119.423    0.10                             
28         50.435    4.46   1.74100    52.6           
29        -58.015  (可変)                             
30        120.618    2.62   1.80809    22.8           
31       -118.028    1.00   1.77250    49.6           
32         26.456  (可変)                             
像面        ∞   
【００８５】
非球面データ
第6面
K = 0.00000e+000  A 4= 2.19405e-006  A 6= 1.52063e-008  A 8=-1.33705e-010  A10= 3.65346e-013  
第16面
K = 0.00000e+000  A 4= 7.69558e-006  A 6= 1.39771e-008  A 8=-6.74331e-011  
第20面
K = 0.00000e+000  A 4= 2.95464e-006  A 6= 1.01796e-008  A 8=-1.83369e-010  A10= 6.01235e-013  
第23面
K = 0.00000e+000  A 4=-2.05239e-005  A 6= 1.51354e-008  A 8=-2.24418e-011  
広角     中間     望遠
焦点距離      18.87    70.18   239.70 
Fナンバー      3.15     4.68     5.71   
半画角（度）  35.90    11.01     3.26     
d 5            0.77    30.75    60.73     
d13           31.31     8.85     0.32      
d19            1.73     9.10    12.29       
d22           11.80     4.43     1.24       
d29            2.17     5.40     0.94       
d32           37.71    56.94    69.92      
【００８６】
【表１】
2013190453.tif 000001
【符号の説明】
【００８７】
Ｌ１  第１レンズ群、Ｌ２  第２レンズ群、Ｌ３  第３レンズ群、Ｌ４  第４レンズ群、Ｌ５  第５レンズ群、Ｌ６  第６レンズ群、Ｌ７  第７レンズ群